(57)【要約】      （修正有）【課題】コンクリート打設後から養生開始までの養生できない空白時間を無くすことによって良質なトンネルコンクリート内周面を確保する。【解決手段】トンネル内周に沿った円弧形状の枠体を有しトンネルＴ内周との間に覆工コンクリートＣｒを打設するセントルＣｎに後続して配置され、覆工コンクリートＣｒを養生する養生装置であって、セントルＣｎに対して所定間隔で位置せられ、トンネルＴ内周に沿った枠体を有する養生台車２と、セントルＣｎと養生台車２の間に、これらセントルＣｎおよび養生台車２の枠体の周方向で間隔を置いて複数張設されたワイヤ体３と、ワイヤ体３に支持されて、覆工コンクリートＣrの内周面に沿う内方に敷設されて、覆工コンクリートＣrの内周面を覆って閉鎖された養生空間を形成するシート体４とを備える。【選択図】図１
2019002209.tif 000002
【特許請求の範囲】
【請求項１】
トンネル内周に沿った円弧形状の枠体を有しトンネル内周との間に覆工コンクリートを打設するセントルに後続して配置され、前記覆工コンクリートを養生する養生装置であって、
前記セントルに対して所定間隔で位置させられ、トンネル内周に沿った形状の枠体を有する養生台車と、
前記セントルと前記養生台車の間に、これらセントルおよび養生台車の枠体の周方向で間隔をおいて複数張設されたワイヤ体と、
前記ワイヤ体に支持されて、覆工コンクリートの内周面に沿う内方に敷設されて、覆工コンクリートの内周面を覆って閉鎖された養生空間を形成するシート体と
を備える覆工コンクリートの養生装置。
【請求項２】
前記ワイヤ体の一端を前記セントルないし前記養生台車に固定するとともに、前記ワイヤ体の他端にウエイトを装着して、当該他端を、前記養生台車ないし前記セントルに設けた懸架部材に懸架した請求項１に記載の覆工コンクリートの養生装置。
【請求項３】
前記シート体のトンネル方向長さを、前記セントルの長さよりも長くして、その長い分を前記閉鎖された養生空間内に弛ませておく請求項１および請求項２に記載の覆工コンクリートの養生装置。
【請求項４】
前記養生台車はトンネル長手方向へ移動可能である請求項１ないし請求項３のいずれかに記載の覆工コンクリートの養生装置。
【請求項５】
トンネル長手方向へ一定長の区間毎に覆工コンクリートを打設し、続いて、打設した前記覆工コンクリートを請求項１に記載の養生装置で養生する覆工コンクリートの養生方法であって、
前記覆工コンクリートを打設し終わった区間に続く次の区間の覆工コンクリートを打設するために、前記セントルをトンネル長手方向の前方へ移動させるとともに、この移動に際して、前記セントルの後端が前記打設した覆工コンクリートの前端を所定長越えるまで前記セントルを移動させる工程と、
前記養生台車をその後端が前記打設した覆工コンクリートの後端部に位置するように移動させる工程と、
前記セントルの後端に位置している前記シート体の前端を後方に捲り上げて、前記打設した覆工コンクリートの前端面に仮固定し、前記打設した覆工コンクリートの内周面と前記シート体との間に閉塞空間を形成するとともに前記シート体を捲り上げることによって形成された空間を作業空間とする工程と
からなる覆工コンクリートの養生方法。
【請求項６】
前記養生装置の長さが一定長の前記区間の長さよりも所定長以上長いことを特徴とする請求項５記載の覆工コンクリートの養生方法。
【請求項７】
前記養生装置の長さが前記区間の長さと略等しく、前記セントルと前記養生装置とを一体に移動させて、前記セントルの後端を、前記打設した覆工コンクリートの前端よりも所定長越えて移動させて停止させ、その後、前記セントルと前記養生台車を連結するジャッキ部材を伸長させて、前記養生台車を前記セントルに対して前記所定長だけ後退させる工程からなる請求項５に記載の覆工コンクリートの養生方法。
【請求項８】
前記養生装置の長さが前記区間の長さと略等しく、前記セントルの後端が、打設した覆工コンクリートの前端よりも所定長越えて前方へ移動させるとき、養生装置の後端が前記打設した覆工コンクリートの後端に達したら、前記養生台車の移動を停止させるとともに、前記セントルと前記養生台車を連結するジャッキ部材を伸長させて前記セントルのみ所定長移動させる工程からなる請求項５に記載の覆工コンクリートの養生方法。
【発明の詳細な説明】
【技術分野】
【０００１】
本発明は特にトンネルの覆工コンクリートの養生装置および養生方法に関するものである。
【背景技術】
【０００２】
セントルによってトンネル内周面に覆工コンクリートを打設した後、コンクリートのひび割れ等を防止するためにコンクリートの急激な乾燥や温度変化を抑える養生が行われる。従来は例えば特許文献１に示されるように、枠体の外周に養生用シートを予め張ったセントルとほぼ同長の養生台車をセントルに続いて進行させて、打設されたコンクリートの内周面を覆うように閉鎖空間を形成して養生を行うものが提案されている。そして、上記特許文献１に記載の養生装置では、セントル４０の後端から突出する作業足場４１を覆うように張り出し養生部（第２空間２７）を設けて、張り出し養生部を養生台車の養生空間（第１空間２６）に当接させることによって、打設されたコンクリートの内周面を連続的に覆うようにしている。
【先行技術文献】
【特許文献】
【０００３】
【特許文献１】特開２０１０−１５６１３３
【発明の概要】
【発明が解決しようとする課題】
【０００４】
しかし、上記従来の養生台車を使用したものでは、養生台車の先を行くセントルが、覆工コンクリートを打設して前方へ移動し、次の区間の覆工コンクリートを打設するのに先立ってセントルのケレン作業を行うが、ケレン作業のための作業空間を確保する等のためにセントルは一時的に、打設した覆工コンクリートの前端を越えて前方へ移動させられる。このため、この間連続した養生空間が形成できず、打設した上記覆工コンクリートの養生ができない空白時間が生じるという問題があった。
【０００５】
そこで、本発明はこのような課題を解決するもので、覆工コンクリート打設後から養生開始までの養生できない空白時間を無くすことによって良質なトンネルの覆工コンクリート内周面を確保することが可能な覆工コンクリートの養生装置および養生方法を提供することを目的とする。
【課題を解決するための手段】
【０００６】
上記課題を解決するために、本第１発明の覆工コンクリートの養生装置（１）は、トンネル内周に沿った形状の枠体を有しトンネル（Ｔ）内周との間に覆工コンクリート（Ｃｒ）を打設するセントル（Ｃｎ）に後続して配置され、前記覆工コンクリート（Ｃｒ）を養生する養生装置であって、前記セントル(Ｃｎ)に対して所定間隔で位置せられ、トンネル（Ｔ）内周に沿った枠体（２２）を有する養生台車（２）と、前記セントル（Ｃｎ）と前記養生台車（２）の間に、これらセントル（Ｃｎ）および養生台車（２）の枠体の周方向で間隔を置いて複数張設されたワイヤ体（３）と、前記ワイヤ体（３）に支持されて、覆工コンクリート（Ｃr）の内周面に沿う内方に敷設されて、覆工コンクリート（Ｃr）の内周面を覆って閉鎖された養生空間（Ｓ）を形成するシート体（４）とを備える。
【０００７】
本第１発明においては、セントルのケレン作業を行っている間は、シート体のセントル側の端縁を外周方向へまくり上げて、当該端縁を打設コンクリートの端面に仮止めしておけば、打設コンクリートの内周面を覆う養生空間の閉鎖性が損なわれない。これにより、覆工コンクリートから出る熱や水蒸気を養生空間内に保持した良好な外気遮断養生を行うことができる。
また、セントルと養生台車の間にワイヤ体とシート体しか存在しないから、従来の養生台車のようにセントルの作業足場や階段、セントル表面を清掃するケレン装置、コンクリート打設用配管等との干渉を避けることに苦慮することなく養生台車を構成することができる。
また、セントルと養生台車との間には、ワイヤ体とシート体しか存在しないので、ケレン作業の支障になるものがなくケレン作業を効率よく行えるとともにケレン作業時間を短縮することができる。
また、セントルと養生台車との間に張り出し養生部が不要であるので設備コストを抑制できる。
さらに、セントルの脱枠状態の確認やセントルのケレン作業時にはシート体をワイヤ体上で滑らせて適当に開放口を形成することができる。
【０００８】
本第２発明では、前記ワイヤ体（３）の一端を前記セントル（Ｃｎ）ないし養生台車（２）に固定するとともに、前記ワイヤ体（３）の他端にウエイト（３２）を装着して、当該他端を、前記養生台車（２）ないしセントル（Ｃｎ）に設けた懸架部材（３１）に懸架する。これによると、セントルと養生台車との間のワイヤ体は常に一定の張力が付与されるので、シート体を常に支持しており、ケレン作業中も覆工コンクリート養生ができる。また、養生台車とセントルの間隔が変動しあるいは当該間隔が調整変更された場合でも、これに応じてワイヤ体が繰り出されあるいは戻され、しかもワイヤ体の張力はウエイトによって一定に保たれる。
【０００９】
本第３発明では、前記シート体（４）のトンネル（Ｔ）方向長さを、セントル（Ｃｒ）の長さ（区間長）よりも長くして、その長い分を前記閉鎖された養生空間（Ｓ）内に弛ませておく。これにより、養生台車とセントルとの間隔が変動してもシート体に支障はない。
【００１０】
本第４発明では、前記養生台車（２）はトンネル（Ｔ）長手方向へ移動可能である。これにより、トンネル（Ｔ）内での養生台車の移動が容易である。
【００１１】
本第５発明の覆工コンクリートの養生方法は、トンネル（Ｔ）長手方向へ一定長の区間毎に覆工コンクリート（Ｃｒ）を打設し、続いて、打設した前記覆工コンクリート（Ｃｒ）を本第１発明の養生装置で養生する覆工コンクリートの養生方法であって、前記覆工コンクリート（Ｃｒ）を打設し終わった区間に続く次の区間の覆工コンクリート（Ｃｒ）を打設するために、セントル（Ｃｎ）をトンネル長手方向の前方へ移動させるとともに、この移動に際して、前記セントル（Ｃｎ）の後端が前記打設した覆工コンクリートの前端を所定長越えるまで前記セントル（Ｃｎ）を移動させる工程と、前記養生台車（２）をその後端が前記区間の打設した覆工コンクリート（Ｃｒ）の後端部に位置させる工程と、前記セントル（Ｃｎ）の後端に位置している前記シート体（４）の前端を後方に捲り上げて、前記打設した覆工コンクリート（Ｃｒ）の前端面に仮固定し、前記打設した覆工コンクリート（Ｃｒ）の内周面と前記シート体（４）との間に閉塞空間（Ｓ）を形成するとともに前記シート体（４）を捲り上げて形成された空間を作業空間とする工程とからなる。
【００１２】
本第５発明においては、セントルの後端が、打設した覆工コンクリートの前端を所定長越えて移動させる工程と、前記養生装置をその後端が前記区間の打設した覆工コンクリートの後端部に位置させる工程と、セントル後端に位置しているシート体の前端を後方にまくりあげて、前記打設した覆工コンクリートの前端面に仮固定し、前記打設した覆工コンクリートの内周面と前記シート体との間に閉塞空間を形成するので、セントルのケレン作業、清掃中においても、コンクリートの養生を中断することがなくなる。
【００１３】
本第６発明では、前記養生装置（１）の長さが一定長の区間長よりも所定長以上長い。これにより、セントルを一定長より多く移動させても、後続する養生装置の後端が養生すべき覆工コンクリートの後端から前に移動するとがなく、シート体の前端を、打設した覆工コンクリートの前端面に仮止めするだけで閉鎖した養生空間が得られ、確実に養生することができる。
【００１４】
本第７発明では、前記養生装置（１）の長さが（一定長の）区間長（セントルの長さ）と略等しく、前記セントル（Ｃｎ）と前記養生装置（１）とを一体に移動させて、セントル（Ｃｎ）の後端（養生装置の前端）を、打設した覆工コンクリート（Ｃｒ）の前端よりも所定長越えて移動させて停止させ、その後、前記セントルと前記養生装置を連結するジャッキ部材（１１）を伸長させて、前記養生台車（２）をセントル（Ｃｎ）に対して所定長後退させるようにしているので、後退移動と略同時に、シート体の前端を、打設した覆工コンクリートの前端面に仮固定するだけで閉鎖した養生空間（Ｓ）が得られ、確実に養生することができる。
【００１５】
本第８発明では、前記養生装置（１）の長さが一定長の区間長（セントルの長さ）と略等しく、セントル（Ｃｎ）の後端が、打設した覆工コンクリート（Ｃｒ）の前端よりも所定長越えて移動させるとき、養生装置（１）の後端が前記打設した覆工コンクリート（Ｃｒ）の後端に達したら、前記養生台車（２）の移動を停止させると共に、前記セントル（Ｃｎ）と前記養生台車（２）を連結するジャッキ部材（１１）を伸長させてセントル（Ｃｎ）のみ所定長移動させるようにしているので、セントル後端に位置しているシート体の前端を後方にまくりあげて、前記打設した覆工コンクリートの前端面に仮固定するだけで、前記打設した覆工コンクリートの内周面と前記シート体との間に閉塞空間が得られ、確実に養生することができる。
【００１６】
上記カッコ内の符号は、後述する実施形態に記載の具体的手段との対応関係を参考的に示すものである。
【発明の効果】
【００１７】
以上のように、本発明のトンネル打設コンクリートの養生装置によれば、コンクリート打設後から養生開始までの養生できない時間を無くすことによって良質な覆工コンクリート内周面を確保することができる。
【図面の簡単な説明】
【００１８】
【図１】セントルの後方に位置させた本発明の養生装置の全体側面図である。
【図２】養生装置の拡大側面図である。
【図３】図２のIII−III線に沿った養生装置の横断面図で、養生台車の正面を併せて描いた図である。
【図４】図２のIII−III線に沿った養生装置の横断面図で、養生台車の正面を省略した図である。
【図５】ワイヤ体懸架部の側面図である。
【図６】ワイヤ体懸架部の正面図である。
【図７】仕切板設置部の側面図である。
【図８】養生装置移動時の全体側面図である。
【図９】養生装置移動時の要部拡大側面図である。
【図１０】養生装置移動時の全体側面図である。
【図１１】養生装置移動時の要部拡大側面図である。
【図１２】養生装置の横断面図で、養生台車の他の例を示す正面を併せて描いた図である。
【発明を実施するための形態】
【００１９】
なお、以下に説明する実施形態はあくまで一例であり、本発明の要旨を逸脱しない範囲で当業者が行う種々の設計的改良も本発明の範囲に含まれる。
【００２０】
図１にトンネルの覆工コンクリートの養生装置１の全体側面図を示す。図１において、トンネルＴの内周に覆工コンクリートＣｒ（以下、単にコンクリートという場合もある）を打設するための、所定長の枠体を備えた公知のセントルＣｎがトンネル内に位置している。さらにセントルＣｎからトンネルＴの長手方向へ所定距離離れてその後方（トンネル入口側で図１の左方）に、セントルＣｎに比して短尺な養生装置１を構成する養生台車２が位置している。
【００２１】
図１において、区間ＡはセントルＣｎによるコンクリート打設区間、区間Ｂは打設された覆工コンクリートＣｒの養生区間、区間Ｃは次のコンクリート打設区間である。各区間Ａ〜ＣはセントルＣｎの枠体の長さに等しく同一長となっており、養生台車２は区間Ｂの後端部に位置している。セントルＣｎおよび養生台車２はトンネルＴの底盤上に長手方向へ敷設されたレールＲに沿って前後（トンネル長さ方向）に移動可能である。また、セントルＣｎと養生台車２は長さ調整可能なジャッキ部材１１によって互いの間隔を調整可能に連結されており、さらに、セントルＣｎの移動に伴って養生台車２が追従して移動するようになっている。
【００２２】
図２には養生台車２の拡大側面図を示す。図３は図２のIII−III線に沿ったトンネルの横断面図で、この方向から見える養生台車２の正面を併せて描いた図であり、図４は同じくIII−III線に沿ったトンネルの横断面図で、養生台車２の正面を省略した図である。図４に示すように、セントルＣｎ後端と養生台車２との間にはワイヤ体３とシート体４しか存在しないから、セントルＣｎ後端に設けた階段や作業足場等と輻輳しない。したがってセントルＣｎでのケレン作業等が効率よく行える。養生台車２は、車輪によってレールＲ上を移動可能な左右の基台２１（図３）上に枠体２２を架設したもので、枠体２２は、トンネル形状に湾曲した円弧状部材２２１と、円弧状部材２２１を支持する柱部材２２２と、柱部材２２２と円弧状部材２２１とを連結する連結部材２２３とからなっており、円弧状部材２２１の外周がトンネルＴの内周面に沿った円弧状をなし、トンネルＴの内周面に打設されたコンクリートＣｒの内周面から一定距離だけ内方に位置してコンクリートＣｒの内周面との間に円弧断面の空間を形成している。そして、枠体２２の外周部の円弧状部材２２１には周方向へ等間隔Ｅをおいて複数位置に、以下に説明する構造で、セントルＣｎとの間にワイヤ体３が張設されている。
【００２３】
各ワイヤ体３は一端（前端）が、養生台車２の枠体２２の円弧状部材２２１の外周とほぼ同径のセントルＣｎの後端外周部端縁１２（図２）に固定されており、各ワイヤ体３はその一端から相互に平行でかつトンネルＴの内周に平行に後方へ延びて、その他端は、養生台車２の円弧状部材２２１の外周部端縁の対応位置に固定されたブラケット３１１により支持された懸架部材としての各シーブ３１（図５）に懸架されて下方へ垂下している。そして垂下した各ワイヤ体３の下端（他端）に角板状のウエイト３２（図６）が装着されている。
【００２４】
このような構造によって、各ワイヤ体３には一定の張力が付与されている。加えて、養生台車２とセントルＣｎの間隔が走行中に変動しあるいは当該間隔が調整変更された場合でも、これに応じてシーブ３１が回転してワイヤ体３が繰り出されあるいは戻されて、ワイヤ体３の張力はウエイト３２によって常に一定に保たれる。特に、レールＲの敷設状態によっては養生台車２が移動時に前後左右に揺れて養生台車２とセントルＣｎの間隔が変動することがあるが、この場合にもワイヤ体３の張力は常に一定に保たれる。
【００２５】
そして、上記ワイヤ体３の外方には、トンネルＴの内周面との間に、市販の防炎シートのようなシート体４が展開されて、図３および図４に示すように、シート体４を複数のワイヤ体３で支持するようにこれらに被せられている。シート体４は区間Ｂ（図１）の長さ（したがって区間Ａ，Ｃの長さ）以上の長さが確保されており、その長い分は養生台車２とセントルＣｎとの間で波状に弛んで収まっている。シート体４は円弧形状のトンネル周方向にもその円弧形状の長さに等しい幅の長さが確保されており、また、養生台車２のトンネル断面方向の左右下端においてはシート体４の下端４２に適宜押さえ部材４２１が置かれて、シート体４の端部が捲れないようにしている。これによって養生区間である区間Ｂの全域にわたって、打設された覆工コンクリートＣｒの内周面に沿う内方に、円弧断面の閉鎖空間すなわち養生空間Ｓ（図３）が形成される。なお、シート体４には必要箇所にこれをワイヤ体３に係止するための係止具（図示略）が取り付けてある。
【００２６】
養生台車２の外周にはワイヤ体３は無いので上記シート体４のみが張設されている（図２）。また、養生台車２の外周部の、トンネル入り口側端縁全周には、ウレタン等の弾性変形可能な樹脂製の仕切板５がトンネルＴの内周面に向けて立設されており、養生空間Ｓのトンネル方向後端部を閉塞している。その詳細を図７に示す。
【００２７】
図７において、立設された仕切板５はコンクリートＣｒの内周面に向けて突出し、その先端部はコンクリートＣｒの内周面に当接して湾曲している。このような、養生台車２に設けられた仕切板５とシート体４，押さえ部材４２１，４２１によって捲れないようにしたシート体４の両側方の下端４２、４２およびシート体４前端を固着しているセントルＣｎの枠体外周端縁全周１２の後方側端部面１３（図２）によって、コンクリートＣｒの内周面を覆う、区間Ｂ（図１）の長さにほぼ等しい、円弧断面の閉鎖された養生空間Ｓが形成される。
【００２８】
このような構造、すなわち養生台車２，ワイヤ体３およびシート体４とからなる養生装置１を使用した養生方法について以下に説明する。図１で区間Ａのコンクリート打設を終えると、セントルＣｎと養生装置１は次のコンクリート打設区間Ｃに向かって移動する。このとき新たなコンクリート打設に先立ってセントルＣｎの枠体のケレン作業を行う。そのケレン作業の空間を確保するために、セントルＣｎを区間Ｃ内へ所定長ｄ（例えば、０．５〜２．０ｍ）だけ進入させて停止させる（図８）。従来はこのケレン作業のために、後続する養生台車が区間Ａに移動できず、打設されたコンクリートの養生に数時間の空白時間を生じていた。
【００２９】
本実施形態では、図８に示すように、養生台車２の後端も区間Ａ内に所定量ｄだけ入り込むため、ジャッキ部材１１を所定長ｄだけ伸ばして養生台車２を後退させることにより、セントルＣｎと養生台車２の間隔を拡げるとともに、シート体４のたぐり寄せていた分を伸ばして、養生台車２の枠体２２のトンネル入り口側端縁を区間Ａの境界に一致させておく。
【００３０】
セントルＣｎの枠体のケレン作業をする場合には、図９（１）から（２）に示すように、シート体４のセントルＣｎ側の端縁４１を、セントルＣｎの枠体の後端枠体１３での固定状態から剥がして、外周方向へ捲り上げて、その端部にとりつけたハトメ孔（図示略）を使用して区間Ａの打設コンクリートＣｒの端面に釘４２等で仮止めする。このようにすると、打設コンクリートＣｒの内周面を覆う養生空間Ｓの閉鎖性は損なわれず、打設コンクリートＣｒから出る熱や水蒸気を養生空間Ｓ内に保持した良好な外気遮断養生を行うことができる。かくして、セントルＣｎのケレン作業中にコンクリートＣｒの養生ができず数時間の空白時間を生じるという従来の問題が回避される。なお、シート体４を捲り上げることによって、セントルＣｎとシート体４の間に、ケレン作業のための十分な空間が形成される。
【００３１】
ケレン作業を終えたセントルＣｎはその枠体外周を区間Ｃに合致させるように後退させる（図１０）。この際、セントルＣｎの後退と同時にジャッキ部材１１を元の長さに戻す。すなわち、図１１（１）から（２）に示すように、セントルＣｎを後退させるのに先立って、シート体４の端縁４１の仮止めを外してワイヤ体３上へ戻すとともにセントルＣｎの枠体の後端枠体１３に固定する。その後、ジャッキ部材１１を縮めつつ、セントルＣｎを後退させ、その枠体の端部１３で養生空間Ｓを閉鎖する。この時、養生空間Ｓのトンネル入り口側は養生台車２に設けた仕切板５によって閉鎖されている（図１０）。このようにして、セントルＣｎのケレン作業時にも、コンクリート打設後に空白時間を生じることなく外気遮断養生が行われる。本実施形態の養生装置１によれば、セントルＣｎと養生台車２の間にワイヤ体３とシート体４しか存在しないから、従来の養生台車のようにセントルの足場や階段、ケレン装置、打設用配管等との干渉を考慮することなく養生作業を行うことができる。
【００３２】
なお、上記実施形態では養生台車２の円弧状部材２２１のセントル側にブラケット３１１およびシーブ３２を設けた場合について説明したが、円弧状部材２２１のトンネル入り口側にブラケット３１１およびシーブ３２を設けてもよい。これによればワイヤ体３を枠体２２の上部にも張り巡らせることができるので、養生台車２の上部のシート体４をワイヤ体３に支持させることができる。また、上記実施形態では、養生台車２の枠体２２を基台２１上でトンネル長手方向に２列設けたが（図２）、基台２１の中央部に１列だけ配するようにしても良い。
【００３３】
また、上記の養生台車２を後退させることに代えて、セントルＣｎを移動させると同時にジャッキ部材１１を所定量ｄだけのばして、セントルＣｎと養生台車２の間隔を拡げるようにし、同時にシート体４のたぐり寄せていた分を伸ばして、養生台車２の枠体２２の後端縁を区間Ａの境界に一致させておくようにしてもよい。
さらに、セントルＣｎの後端と養生台車２の後端との距離をあらかじめコンクリート打設区間長のＡ（Ｂ）に所定長ｄを加えた距離以上にしておいてもよい。
シート体４は、ジャッキ部材１１を伸ばすために、そのトンネル方向の長さを区間Ａに所定長ｄ以上加えた長さにしておく。ジャッキ部材１１を伸ばさないときは、シート体４は養生空間Ｓ内で弛ませておく。このようにすると、ジャッキ部材１１を所定長ｄに伸ばしてもシート体４のセントルＣｎ側の端縁４１がセントルＣｎの後端縁から剥がれることがなく、養生空間Ｓの閉塞状態を維持できる。この際、養生空間Ｓのトンネル入り口側は養生台車２に設けた仕切板５によって閉鎖されている。また、シート体４の両側側端４２は押さえ部材４２１で常に閉鎖されている。
【００３４】
（その他の実施形態）
上記実施形態では、ワイヤ体への張力の付与をシーブとウエイトによって行っているが、例えばバネ部材等で行うようにしても良い。
なお、シーブに代えて例えば単なる棒体を、ワイヤ体を懸架する懸架部材として使用することができる。
また、養生台車とセントル、あるいは前後のセントルの間隔が変化しない場合は、ワイヤ体の両端を養生台車やセントルに固定する構造としても良い。
なお、噴霧ノズルやブロアを設けて上記第１実施形態の養生装置で湿潤養生をすることが可能である。
上記実施形態において、養生台車側に代えてセントル側にシーブを設けても良い。
さらに上記実施形態において、ジャッキ部材を所定量ｄだけ伸縮させるのに代えて、ジャッキ部材を所定量ｄを見込んだ長さで固定しておいても良い。この場合は図１０に示す区間Ｃのコンクリート打設状態では養生台車の位置が区間Ａを越えてトンネル入り口側に位置することになるが、区間Ａの養生には問題ない。
また、上記実施形態で説明したものと異なって、養生台車２に、図１２に示すように、円弧状枠部材２２１（図３参照）を設けない構造としても良い。すなわち、養生台車２の上記枠体２２に、トンネル内周に沿った形状の枠部材２２１を設けずに、トンネル内周方向に間隔を置いて複数の懸架部材を取り付けるようにしてもよい。たとえば、柱部材２２２のトンネル内周面側先端や連結部材２２３のトンネル内周面側の先端をトンネル内周に沿った形状に配して、それら先端に懸架部材を取り付けるようにしても良い。
【符号の説明】
【００３５】
Ｃｎ…セントル、１…養生装置、２…養生台車、２２…枠体、３…ワイヤ体、３１…シーブ、３２…ウエイト、４…シート体、Ｃｒ…覆工コンクリート、Ｓ…養生空間、Ｔ…トンネル。
【図１】
2019002209.tif 000003
【図２】
2019002209.tif 000004
【図３】
2019002209.tif 000005
【図４】
2019002209.tif 000006
【図５】
2019002209.tif 000007
【図６】
2019002209.tif 000008
【図７】
2019002209.tif 000009
【図８】
2019002209.tif 000010
【図９】
2019002209.tif 000011
【図１０】
2019002209.tif 000012
【図１１】
2019002209.tif 000013
【図１２】
2019002209.tif 000014